(57)【要約】【課題】  プリザーブドフラワーの花冠に取付具を強固に取り付けることができるプリザーブドフラワー装飾体を提供すること。【解決手段】  プリザーブドフラワー１０の花冠１２と、花冠１２の基部１４に取り付けられた取付具１６と、を備えたプリザーブドフラワー装飾体８である。取付具１６は、取付具本体部１８と、取付具本体部１８に設けられ、花冠１２の基部１４に向けて延びる複数の係止爪部２８と、を有している。複数の係止爪部２８は花冠１２の基部１４に差し込まれて係止され、花冠１２の基部１４は取付具本体部１８に支持される。【選択図】  図３
2009269265.tif 000002
【特許請求の範囲】
【請求項１】
プリザーブドフラワーの花冠と、前記花冠の基部に取り付けられた取付具と、を備えたプリザーブドフラワー装飾体であって、
前記取付具は、取付具本体部と、前記取付具本体部に設けられ、前記花冠の基部に向けて延びる複数の係止爪部と、を有し、前記複数の係止爪部は前記花冠の基部に差し込まれて係止され、前記花冠の基部は前記取付具本体部に支持されることを特徴とするプリザーブドフラワー装飾体。
【請求項２】
前記取付具本体部には磁性を有する金属部又はマグネット部が設けられていることを特徴とする請求項１に記載のプリザーブドフラワー装飾体。
【請求項３】
前記取付具本体部にはナット部又はボルト部が設けられていることを特徴とする請求項１又は２に記載のプリザーブドフラワー装飾体。
【請求項４】
前記花冠の外側部には、前記複数の係止爪部を外側より覆うためのプリザーブドフラワーの花弁が複数取り付けられていることを特徴とする請求項１〜３のいずれかに記載のプリザーブドフラワー装飾体。
【請求項５】
複数のプリザーブドフラワーを用いて装飾するためのプリザーブドフラワー集合装飾体であって、
集合取付本体と、前記集合取付本体に設けられた磁性を有する金属シート又はマグネットシートと、前記集合取付本体内に取り出し自在に収容された複数のプリザーブドフラワー装飾体と、を備え、前記複数のプリザーブドフラワー装飾体の各々は、プリザーブドフラワーの花冠と、前記花冠の基部に取り付けられた取付具と、を備え、前記取付具にはマグネット部又は磁性を有する金属部が設けられており、前記取付具の前記マグネット部又は前記金属部は、前記金属シート又は前記マグネットシートに磁気的に吸着されることを特徴とするプリザーブドフラワー集合装飾体。
【発明の詳細な説明】
【技術分野】
【０００１】
本発明は、例えばフラワーアレンジメントなどに用いられるプリザーブドフラワー装飾体及び複数のプリザーブドフラワーを用いて装飾するためのプリザーブドフラワー集合装飾体に関する。
【背景技術】
【０００２】
近年、生花に特殊加工を施したプリザーブドフラワーが注目されている。このプリザーブドフラワーは、生花の細胞組織内の組織水を脱水した後に、保存液に浸漬して組織水を保存液によって置換する防腐処理を施し、必要に応じて染色を行うことにより得られるものである。このような特殊加工を施すことにより、生花と同様なみずみずしい外観を長期間保つことができる。
【０００３】
プリザーブドフラワーのフラワーアレンジメントでは、プリザーブドフラワーの茎部にマグネットが取り付けられたプリザーブドフラワー装飾体が用いられている（例えば、特許文献１参照）。このマグネットを例えばスチール製の壁面などに磁気的に吸着させることにより、このスチール製の壁面などに対してプリザーブドフラワーをアレンジすることができる。
【０００４】
また、複数のプリザーブドフラワーを用いて装飾するプリザーブドフラワー集合装飾体が提案されている（例えば、特許文献２参照）。このプリザーブドフラワー集合装飾体は、装飾用容器の内部に複数のプリザーブドフラワーを直接詰め込むことにより構成されており、例えば誕生日のお祝いや病気のお見舞いなどのフラワーギフトとして用いられる。
【０００５】
【特許文献１】実用新案登録第３１２８２７９号公報
【特許文献２】実用新案登録第３１３５３９７号公報
【発明の開示】
【発明が解決しようとする課題】
【０００６】
上述のような従来のプリザーブドフラワー装飾体では、マグネットは接着剤を用いてプリザーブドフラワーの茎部に取り付けられており、例えば接着剤の量が少ない場合などには、マグネットとプリザーブドフラワーの茎部との接着強度が低下することがある。このように接着強度が低下した状態で、プリザーブドフラワーの茎部を手で掴んでマグネットをスチール製の壁面などに対して磁気的に多数回着脱すると、マグネットがプリザーブドフラワーの茎部から外れてしまうおそれがある。
【０００７】
また、上述のような従来のプリザーブドフラワー集合装飾体では、運搬時などに装飾用容器に大きな衝撃が加わると、プリザーブドフラワーが装飾用容器の内部でぐらついてしまう。プリザーブドフラワーは非常にデリケートであるため、このようにプリザーブドフラワーが装飾用容器の内部でぐらつくことにより、プリザーブドフラワーの花弁が摩擦によって傷んでしまうおそれがある。
【０００８】
本発明の目的は、プリザーブドフラワーの花冠に取付具を強固に取り付けることができるプリザーブドフラワー装飾体を提供することである。
また、本発明の他の目的は、プリザーブドフラワーを安定して収容することができるプリザーブドフラワー集合装飾体を提供することである。
【課題を解決するための手段】
【０００９】
本発明の請求項１に記載のプリザーブドフラワー装飾体では、プリザーブドフラワーの花冠と、前記花冠の基部に取り付けられた取付具と、を備えたプリザーブドフラワー装飾体であって、
前記取付具は、取付具本体部と、前記取付具本体部に設けられ、前記花冠の基部に向けて延びる複数の係止爪部と、を有し、前記複数の係止爪部は前記花冠の基部に差し込まれて係止され、前記花冠の基部は前記取付具本体部に支持されることを特徴とする。
【００１０】
また、本発明の請求項２に記載のプリザーブドフラワー装飾体では、前記取付具本体部には磁性を有する金属部又はマグネット部が設けられていることを特徴とする。
さらに、本発明の請求項３に記載のプリザーブドフラワー装飾体では、前記取付具本体部にはナット部又はボルト部が設けられていることを特徴とする。
【００１１】
また、本発明の請求項４に記載のプリザーブドフラワー装飾体では、前記花冠の外側部には、前記複数の係止爪部を外側より覆うためのプリザーブドフラワーの花弁が複数取り付けられていることを特徴とする。
【００１２】
さらに、本発明の請求項５に記載のプリザーブドフラワー集合装飾体では、複数のプリザーブドフラワーを用いて装飾するためのプリザーブドフラワー集合装飾体であって、
集合取付本体と、前記集合取付本体に設けられた磁性を有する金属シート又はマグネットシートと、前記集合取付本体に取り出し自在に収容された複数のプリザーブドフラワー装飾体と、を備え、前記複数のプリザーブドフラワー装飾体の各々は、プリザーブドフラワーの花冠と、前記花冠の基部に取り付けられた取付具と、を備え、前記取付具にはマグネット部又は磁性を有する金属部が設けられており、前記取付具の前記マグネット部又は前記金属部は前記金属シート又は前記マグネットシートに磁気的に吸着されることを特徴とする。
【発明の効果】
【００１３】
本発明の請求項１に記載のプリザーブドフラワー装飾体によれば、取付具本体に設けられた複数の係止爪部がプリザーブドフラワーの花冠の基部に差し込まれて係止されるので、取付具を花冠の基部に強固に取り付けることができ、取付具が花冠の基部から外れるのを防止することができる。
【００１４】
また、本発明の請求項２に記載のプリザーブドフラワー装飾体によれば、取付具本体部には磁性を有する金属部又はマグネット部が設けられているので、取付具本体部をマグネット又は磁性を有する金属に対して磁気的に吸着させることができ、フラワーアレンジメントを容易に行うことができる。
【００１５】
さらに、本発明の請求項３に記載のプリザーブドフラワー装飾体によれば、取付具本体部にはナット部又はボルト部が設けられているので、ボルト部材又はナット部材を用いてこれをナット部又はボルト部に螺着することにより、プリザーブドフラワー装飾体を適宜の箇所に取り付けることができる。
【００１６】
また、本発明の請求項４に記載のプリザーブドフラワー装飾体によれば、花冠の外側部には、複数の係止爪部を外側より覆うためのプリザーブドフラワーの花弁が複数取り付けられているので、見栄えを良くすることができるとともに花冠にボリューム感を持たせることができる。また、花冠を手で掴んだ際に最も外側の花弁が傷んだ場合であっても、この傷んだ花弁を新しい花弁に容易に交換することができ、プリザーブドフラワーの美しい外観を保つことができる。
【００１７】
さらに、本発明の請求項５に記載のプリザーブドフラワー集合装飾体によれば、取付具のマグネット部又は金属部が金属シート又はマグネットシートに磁気的に吸着されるので、例えば運搬時に集合取付本体に大きな衝撃が加わった際に、プリザーブドフラワー装飾体が集合取付本体の内部でぐらつくのを防止することができ、プリザーブドフラワー装飾体の花弁が摩擦により傷むのを防止することができる。
【発明を実施するための最良の形態】
【００１８】
以下、添付図面を参照して、本発明に従うプリザーブドフラワー装飾体及びプリザーブドフラワー集合装飾体の各種実施形態について説明する。
［第１の実施形態］
まず、図１〜図４を参照して、第１の実施形態のプリザーブドフラワー装飾体及びプリザーブドフラワー集合装飾体について説明する。図１は、本発明の第１の実施形態によるプリザーブドフラワー集合装飾体を示す斜視図であり、図２は、図１のプリザーブドフラワー集合装飾体を示す概略断面図であり、図３は、図１のプリザーブドフラワー装飾体を示す分解斜視図であり、図４は、図１のプリザーブドフラワー装飾体をボルト部材を用いて装飾用プレートに取り付ける状態を示す斜視図である。
【００１９】
図１及び図２を参照して、図示のプリザーブドフラワー集合装飾体２は、ボックス状の集合取付本体４を備え、この集合取付本体４の内底部にはマグネットシート６が配設されている。また、この集合取付本体４の内部には、複数のプリザーブドフラワー装飾体８が取り出し自在に収容されている。
【００２０】
図３をも参照して、プリザーブドフラワー装飾体８は、例えばバラの花などから構成されたプリザーブドフラワー１０の花冠１２と、花冠１２の基部１４（即ち、茎の先端部に接続される側の端部）に取り付けられた取付具１６と、を備えている。
【００２１】
取付具１６は、リング状の取付具本体部１８を有している。取付具本体部１８の中央部には円筒状のナット部２０が設けられ、このナット部２０は、取付具本体部１８の片面より花冠１２の基部１４に向けて延びている。ナット部２０の内周面には、ボルト部材２２（図４参照）のネジ山２４と相互に螺合されるネジ溝２６が設けられている。また、取付具本体部１８の外周部には複数（本実施形態では４個）の係止爪部２８が設けられ、これら複数の係止爪部２８は、取付具本体部１８の片面より花冠１２の基部１４に向けて延びている。また、取付具本体部１８は、例えば鉄やステンレスなどの磁性を有する金属から形成されており、本実施形態では、この取付具本体部１８が磁性を有する金属部を構成する。
【００２２】
この取付具１６は、次のようにしてプリザーブドフラワー１０の花冠１２の基部１４に取り付けられる。まず、花冠１２の基部１４に設けられた花托３０の先端部を切断した後に、ナット部２０をこの花托３０の内部に挿入するとともに、複数の係止爪部２８を花冠１２の基部１４に差し込んで係止し、接着剤によりナット部２０と花托３０とを相互に接着する。これにより、花冠１２の基部１４が取付具本体部１８の片面に支持される。その後に、複数の係止爪部２８を外側から覆うようにして、花冠１２の外側部にプリザーブドフラワー１０の花弁３２を接着剤を用いて複数枚取り付ける。
【００２３】
上述したプリザーブドフラワー装飾体８は、取付具本体部１８をマグネットシート６に磁気的に吸着させることにより集合取付本体４の内部に収容される。従って、例えば運搬時などに集合取付本体４に大きな衝撃が加わった場合であっても、プリザーブドフラワー装飾体８が集合取付本体４の内部でぐらつくのを防止することができ、プリザーブドフラワー装飾体８の花弁３２が摩擦により傷むのを防止することができる。
【００２４】
また、本実施形態のプリザーブドフラワー装飾体８では、上述のように複数の係止爪部２８が花冠１２の基部１４に差し込まれて係止されるので、取付具１６を花冠１２の基部１４に強固に取り付けることができ、それ故に、花冠１２を手で掴んで取付具本体部１８をマグネットシート６に対して磁気的に多数回着脱した場合であっても、取付具１６が花冠１２の基部１４から外れるのを防止することができる。また、複数の係止爪部２８は、花冠１２の外側部に取り付けられた複数の花弁３２によって外側から覆われているので、見栄えを良くすることができるとともに花冠１２にボリューム感を持たせることができ、また、花冠１２を手で掴んだ際に最も外側の花弁３２が傷んだ場合であっても、この傷んだ花弁３２を新しい花弁３２に容易に交換することができる。
【００２５】
なお、図４に示すように、プリザーブドフラワー装飾体８を集合取付本体４の内部から取り出して例えば次のように使用することができる。即ち、例えば室内の壁面などに掛けられる貫通孔３４が設けられた装飾用プレート３６を用い、ボルト部材２２をこの貫通孔３４に挿入して取付具１６のナット部２０に螺着することにより、プリザーブドフラワー装飾体８が装飾用プレート３６に取り付けられ、装飾用プレート３６に対してフラワーアレンジメントを施すことができる。このようにボルト部材２２を用いることによって、装飾用プレート３６に限らず、例えば室内の壁面やデスクの天板など、適宜のものに対してフラワーアレンジメントを施すことができる。また、プリザーブドフラワー１０は取付具本体部１８を介して装飾用プレート３６に取り付けられるので、装飾用プレート３６が色移りし易い素材から形成されている場合であっても、プリザーブドフラワー１０から装飾用プレート３６に色移りするのが防止される。なお、ボルト部材２２に代えてネジ部材を用いるようにしてもよい。
【００２６】
また、本実施形態では、集合取付本体４の内底部にマグネットシート６を配設したが、磁性を有する金属シート（例えば、ステンレス製のシート）を配設してもよく、かかる場合には、取付具本体部１８にはマグネット部を設ければよい。また、本実施形態では、取付具本体部１８が磁性を有する金属部を構成するようにしたが、取付具本体部と金属部とを別体に構成してもよく、かかる場合には、金属部を例えばリング状の金属部材から構成し、この金属部材を取付具本体部１８の他面に取り付ければよい。
【００２７】
［第２の実施形態］
次に、図５及び図６を参照して、第２の実施形態のプリザーブドフラワー装飾体について説明する。図５は、本発明の第２の実施形態によるプリザーブドフラワー装飾体を示す概略断面図であり、図６は、図５のプリザーブドフラワー装飾体をナット部材を用いて装飾用プレートに取り付ける状態を示す斜視図である。なお、以下に示す各実施形態において、第１の実施形態と実質上同一の構成要素には同一の符号を付し、その説明を省略する。
【００２８】
図５において、第２の実施形態のプリザーブドフラワー装飾体８Ａでは、取付具１６Ａの取付具本体部１８Ａの中央部には、その他面から花冠１２とは反対方向に延びる棒状のボルト部３８が設けられている。このボルト部３８の外周面には、ナット部材４０のネジ溝４２と相互に螺合されるネジ山４４が形成されている。また、取付具本体部１８Ａの中央部には、その片面から花冠１２に向けて延びる係止爪部４５が設けられている。花托３０に係止爪部４５を差し込んで係止するとともに、複数の係止爪部２８を花冠１２の基部１４に差し込んで係止することにより、取付具１６Ａが花冠１２の基部１４に取り付けられる。
【００２９】
図６に示すように、例えば室内の壁面などに掛けられる貫通孔３４が設けられた装飾用プレート３６を用い、この貫通孔３４に挿入したボルト部３８にナット部材４０を螺着することにより、プリザーブドフラワー装飾体８Ａが装飾用プレート３６に取り付けられ、装飾用プレート３６に対してフラワーアレンジメントを施すことができる。なお、ナット部材４０を用いることに代えて、装飾用プレート３６の貫通孔３４の内周面にネジ溝を形成し、この貫通孔３４にボルト部３８を螺着するようにしてもよい。
【００３０】
［第３の実施形態］
次に、図７を参照して、第３の実施形態のプリザーブドフラワー装飾体について説明する。図７は、本発明の第３の実施形態によるプリザーブドフラワー装飾体を示す概略断面図である。
【００３１】
図７において、第３の実施形態のプリザーブドフラワー装飾体８Ｂでは、取付具１６Ｂは、円盤状の取付具本体部１８Ｂと、取付具本体部１８Ｂの片面から花冠１２の基部１４に向けて延びる針状部４６と、針状部４６の外側に着脱自在に装着される筒状部４８と、を有している。筒状部４８の内径は針状部４６の外径よりも大きく構成され、針状部４６と筒状部４８との間には間隙が形成されている。取付具本体部１８Ｂは、例えば鉄やステンレスなどの磁性を有する金属（又はマグネット）から形成されており、本実施形態では、この取付具本体部１８Ｂが磁性を有する金属部（又はマグネット部）を構成する。
【００３２】
この取付具１６Ｂをプリザーブドフラワー１０の花冠１２の基部１４に取り付ける際には、プリザーブドフラワー１０の花托３０を筒状部４８の内部に挿入した状態で、筒状部４８を針状部４６の外側に装着し、針状部４６の先端部を花托３０に差し込めばよい。
【００３３】
上記第１の実施形態と同様に、取付具本体部１８Ｂを集合取付本体（図示せず）の内部に配設されたマグネットシート（又は磁性を有する金属シート）に磁気的に吸着することにより、プリザーブドフラワー装飾体８Ｂを集合取付本体の内部に安定して収容することができる。
【００３４】
以上、本発明に従う種々のプリザーブドフラワー装飾体及びプリザーブドフラワー集合装飾体の実施形態について説明したが、本発明はかかる実施形態に限定されるものではなく、本発明の範囲を逸脱することなく種々の変形乃至修正が可能である。
【００３５】
例えば、上記第１及び第２の実施形態では、取付具１６，１６Ａにナット部２０及びボルト部３８を設けるように構成したが、これらナット部２０及びボルト部３８を省略してもよい。
【００３６】
また例えば、上記各実施形態では、集合取付本体４をボックス状に構成したが、これに限られず、例えば額縁状など適宜の形態のものから構成することができる。
また例えば、上記各実施形態では、花冠１２の外側部に複数の係止爪部２８を外側より覆うための複数の花弁３２を取り付けたが、これら複数の花弁３２を省略してもよい。
【図面の簡単な説明】
【００３７】
【図１】本発明の第１の実施形態によるプリザーブドフラワー集合装飾体を示す斜視図である。
【図２】図１のプリザーブドフラワー集合装飾体を示す概略断面図である。
【図３】図１のプリザーブドフラワー装飾体を示す分解斜視図である。
【図４】図１のプリザーブドフラワー装飾体をボルト部材を用いて装飾用プレートに取り付ける状態を示す斜視図である。
【図５】本発明の第２の実施形態によるプリザーブドフラワー装飾体を示す概略断面図である。
【図６】図５のプリザーブドフラワー装飾体をナット部材を用いて装飾用プレートに取り付ける状態を示す斜視図である。
【図７】本発明の第３の実施形態によるプリザーブドフラワー装飾体を示す概略断面図である。
【符号の説明】
【００３８】
２  プリザーブドフラワー集合装飾体
４  集合取付本体
６  マグネットシート
８，８Ａ，８Ｂ  プリザーブドフラワー装飾体
１０  プリザーブドフラワー
１２  花冠
１４  基部
１６，１６Ａ，１６Ｂ  取付具
１８，１８Ａ，１８Ｂ  取付具本体部
２０  ナット部
２８，４５  係止爪部
３２  花弁
３８  ボルト部
【図１】
2009269265.tif 000003
【図２】
2009269265.tif 000004
【図３】
2009269265.tif 000005
【図４】
2009269265.tif 000006
【図５】
2009269265.tif 000007
【図６】
2009269265.tif 000008
【図７】
2009269265.tif 000009